(57)【要約】【課題】サイレントチェーンが屈曲する際に、関節リンク列の内リンクプレートが連結ピンに対して傾斜して回動した場合、内リンクプレートのピン孔の縁部が連結ピンに接触摺動している部分の面圧が大きくならないようにして、連結ピンの磨耗を抑制し、チェーンの摩耗伸びを抑制することを目的とする。【解決手段】サイレントチェーン１は、ピン孔３を有する複数の内リンクプレート４を関節リンク列５に配置すると共に、ピン孔７を有する複数の中間リンクプレート８をガイドリンク列１１に配置し、その両最外側にピン孔９を有するガイドプレート１０を配置して連結ピン１２で連結して構成される。内リンクプレート４は、ピン孔両端の縁部３ａが面取り又はＲ（丸み）付けされている。内リンクプレート４が傾斜して回動した場合、ピン孔の縁部３ａと連結ピン１２との接触摺動面が大きく、ピンの磨耗が抑制される。【選択図】図１
2007085529.tif 000002
【特許請求の範囲】
【請求項１】
一対の歯部及びピン孔を有する複数の内リンクプレートを関節リンク列に配置すると共に、一対の歯部及びピン孔を有する複数の中間リンクプレートをガイドリンク列に配置し、該ガイドリンク列の両最外側に一対のピン孔を有するガイドプレートを配置して連結ピンで無端状に連結してなるサイレントチェーンにおいて、
前記関節リンク列に配置された内リンクプレートは、ピン孔両端の縁部が面取り又はＲ付けされていることを特徴とするサイレントチェーン。
【請求項２】
前記内リンクプレートがバレル加工されることにより、ピン孔両端の縁部が面取り又はＲ付けされていることを特徴とする請求項１記載のサイレントチェーン。
【請求項３】
前記内リンクプレートはバレル加工によりピン孔内周面の表面粗さが向上され、連結ピンはバレル加工により外周面の表面粗さが向上されていることを特徴とする請求項１又は２記載のサイレントチェーン。
【発明の詳細な説明】
【技術分野】
【０００１】
本発明は、離間対設した一対のスプロケット間に懸回して動力を伝達する場合に使用するサイレントチェーンに関し、特に、サイレントチェーンを構成する連結ピンの摩耗を抑制することによりチェーン摩耗伸びを抑制したサイレントチェーンに関する。
【背景技術】
【０００２】
一対の歯部及び一対のピン孔を有する多数のリンクプレートをそれぞれ関節リンク列及びガイドリンク列に配置し、該ガイドリンク列の両最外側に一対のピン孔を有するガイドプレートを配置して連結ピンで無端状に連結して形成されたサイレントチェーンは周知である。このようなサイレントチェーンは、スプロケットに巻き付く際、あるいは離れる際に屈曲するため、ピン孔や連結ピンが磨耗しやすく、これを防ぐためにピン孔内周表面及び連結ピン表面の面租度を小さくして、両者の摺動面の磨耗を低減することが知られている（例えば、特許文献１参照。）。
【０００３】
サイレントチェーンの一例を図２に示し、内リンクプレート、中間リンクプレート、ガイドプレートを図３〜図５に示す。サイレントチェーン１は、関節リンク列５に配置された複数の内リンクプレート４のピン孔３、及びガイドリンク列１１に配置された複数の中間リンクプレート８のピン孔７に連結ピン１２が緩挿され、この連結ピン１２の両端がガイドリンク列の両最外に配置されたガイドプレート１０のピン孔９に嵌合固定されることにより形成される。このサイレントチェーン１は、関節リンク列５が連結ピン１２を枢支軸として自由に回動し、関節リンク列５とガイドリンク列１１とが連結ピン１２を枢支軸として相対的に自由に屈曲する。
【特許文献１】特開２０００−６５１５５号公報
【発明の開示】
【発明が解決しようとする課題】
【０００４】
サイレントチェーン１は、スプロケットに巻き付く際、あるいは離れる際に屈曲するとき、ガイドリンク列１１の中間リンクプレート８のピン孔７と連結ピン１２とは摺動しないが、関節リンク列５の内リンクプレート４のピン孔３と連結ピン１２とは摺動する。サイレントチェーン１が屈曲するとき、関節リンク列５の内リンクプレート４が連結ピン１２に対して傾斜して回動することがある。
【０００５】
この場合、図６に誇張して示すように、内リンクプレート４のピン孔３と連結ピン１２とが平行状態で接触しないで傾斜して接触するため、ピン孔３の断面略々直角の縁部（バレル加工前）３ｂが連結ピン１２に片当たりし、局所的に面圧が大きくなって接触摺動する。このため、連結ピン１２は接触摺動した部分が著しく磨耗し、チェーンに磨耗伸びが発生する、という問題がある。この問題は、前記従来技術のように、ピン孔、連結ピン表面の面租度を小さくして平滑化することにより両者の摺動面の面圧を低減した場合でも、発生する問題である。
【０００６】
また、サイレントチェーン１は、ピンとブシュとが広い接触領域で摺動するローラチェーンと異なり、厚さの薄い内リンクプレート４と連結ピン１２とが小さい接触領域で摺動するため、ピン孔３と連結ピン１２との面圧が大きく、両者の摩耗が著しくチェーンに磨耗伸びが発生する、という問題がある。この摩耗の原因は、図７（Ａ）に示すように、ピン孔内周表面の凹凸３ｃと連結ピン外周面の凹凸１２ｃとが金属接触することにある。この場合、チェーンの運転時に給油されると、潤滑油の膜厚よりも凹凸３ｃ、１２ｃの方が大きく、ピン孔３の凹凸３ｃと連結ピン１２の凹凸１２ｃとが直接接触する、所謂「境界潤滑」の状態に近づくため、磨耗量が大きくなると推測される。
【０００７】
そこで、本発明は、前記問題を解決し、サイレントチェーンが屈曲する際に、関節リンク列の内リンクプレートが連結ピンに対して傾斜して回動した場合、内リンクプレートのピン孔の縁部が連結ピンに接触摺動している部分の面圧が大きくならないようにして、連結ピンの磨耗を抑制し、チェーンの摩耗伸びを抑制することができるサイレントチェーンを提供することを目的とする。さらに、内リンクプレートのピン孔と連結ピンとの摺動面を平滑化して、ピン孔及び連結ピンの磨耗を抑制し、チェーンの摩耗伸びを抑制することを目的とする。
【課題を解決するための手段】
【０００８】
上記目的を達成するために、請求項１に係る本発明は、一対の歯部及びピン孔を有する複数の内リンクプレートを関節リンク列に配置すると共に、一対の歯部及びピン孔を有する複数の中間リンクプレートをガイドリンク列に配置し、該ガイドリンク列の両最外側に一対のピン孔を有するガイドプレートを配置して連結ピンで無端状に連結してなるサイレントチェーンにおいて、前記関節リンク列に配置された内リンクプレートは、ピン孔両端の縁部が面取り又はＲ（丸み）付けされているサイレントチェーン、という構成としたものである。
【０００９】
請求項２に係る本発明は、前記請求項１に係る本発明のサイレントチェーンにおいて、前記内リンクプレートがバレル加工されることにより、ピン孔両端の縁部が面取り又はＲ（丸み）付けされている、という構成としたものである。
【００１０】
請求項３に係る本発明は、前記請求項１又は２に係る本発明のサイレントチェーンにおいて、前記関節リンク列に配置された内リンクプレートは、バレル加工によりピン孔内周面の表面粗さが向上され、連結ピンはバレル加工により外周面の表面粗さが向上されている、という構成としたものである。
【発明の効果】
【００１１】
請求項１，２に係る本発明のサイレントチェーンによれば、関節リンク列に配置された内リンクプレートは、ピン孔両端の縁部が面取り又はＲ付けされているので、関節リンク列の内リンクプレートが連結ピンに対して傾斜して回動した場合、内リンクプレートのピン孔の縁部と連結ピンとの接触摺動面が大きくなって面圧が低減される。その結果、連結ピンの磨耗を抑制し、チェーンの磨耗伸びを抑制することができる。
【００１２】
請求項３に係る本発明のサイレントチェーンによれば、関節リンク列に配置された内リンクプレートがバレル加工によりピン孔内周面の表面粗さが向上され、連結ピンがバレル加工により外周面の表面粗さが向上されているので、給油により、潤滑油膜の形成がし易く、この潤滑油膜の介在により接触摺動面が増大して面圧が低減される。その結果、連結ピン、ピン孔の磨耗を抑制し、チェーンに磨耗伸びを抑制することができる。さらに、関節リンク列の内リンクプレートが連結ピンに対して傾斜して回動した場合でも、連結ピンの磨耗を抑制し、チェーンの磨耗伸びを抑制することができる。
【発明を実施するための最良の形態】
【００１３】
本発明の実施例を図１に基づいて説明する。サイレントチェーンは、前記背景技術の項で説明した構造を有するものであるから、図２を参照して同一態様部材には同一符号を付して以下説明する。
【００１４】
サイレントチェーン１は、一対の歯部２及び一対のピン孔３を有する複数の内リンクプレート４が関節リンク列５に配置され、一対の歯部６及び一対のピン孔７を有する複数の中間リンクプレート８がガイドリンク列１１に配置されると共に、両最外側に一対のピン孔９を有するガイドプレート１０が配置され、これらが連結ピン１２で無端状に連結されて形成される。なお、内リンクプレート４及び中間リンクプレート８は、図３、図４に示すように、それぞれ同サイズの一対の歯部２，６及び一対のピン孔３，７を有する。
【００１５】
上記サイレントチェーン１は、関節リンク列５に配置された複数の内リンクプレート４のピン孔３、及びガイドリンク列１１に配置された複数の中間リンクプレート８のピン孔７に連結ピン１２が緩挿され、この連結ピン１２の両端がガイドリンク列の両最外に配置されたガイドプレート１０のピン孔９に嵌合固定されることにより形成される。このサイレントチェーン１は、関節リンク列５が連結ピン１２を枢支軸として自由に回動し、関節リンク列５とガイドリンク列１１とが連結ピン１２を枢支軸として相対的に自由に屈曲する。
【００１６】
関節リンク列５に配置された内リンクプレート４は、バレル加工により、ピン孔３両端の縁部（バレル加工後）３ａが面取り又はＲ（丸み）付けされている（図１参照）。ここで用いられるバレル加工としては、内リンクプレート４とメディア（研磨材）等を収容したバレル加工容器を振動させる振動式のバレル加工、バレル加工容器の底盤を回転させて旋回流動させる流動式のバレル加工、バレル加工容器を自転・公転の遊星回転させる遠心式のバレル加工等が挙げられる。また、メディア（研磨材）としては、大小サイズのメディア、硬軟質のメディア等が単体であるいは混合体で適宜に使用される。
【００１７】
内リンクプレート４はバレル加工により研磨されると、ピン孔３両端の縁部３ａが面取り又はＲ付けされ（図１参照）、ピン孔３の内周面の凹凸が除去されて表面粗さが向上されて平滑化され、同時に歯部２や背面部のバリが除去されたものとなる。一方、連結ピン１２もバレル加工により外周面の凹凸が除去された表面粗さが向上されて平滑化されたものとなる。サイレントチェーン１は、このようにバレル加工された内リンクプレート４、連結ピン１２を用いて形成されるが、ガイドリンク列１１に配置される中間リンクプレート８もバレル加工されていても構わない。
【００１８】
上記構成からなるサイレントチェーン１の作用効果は次のとおりである。サイレントチェーンは、図１に模式的に誇張して示すように、運転中、サイレントチェーン１が屈曲する際、関節リンク列５の内リンクプレート４が連結ピン１２に対して傾斜して回動した場合、内リンクプレート４のピン孔３の縁部３ａと連結ピン１２とが接触摺動する。しかし、ピン孔３の縁部３ａが面取り又はＲ付けされているので、接触摺動面が大きくなって面圧が低減される。その結果、連結ピン１２の磨耗を抑制し、チェーンの磨耗伸びを抑制することができる。また、サイレントチェーン１に給油された場合、スーツなどの異物が混入した潤滑油膜の形成しづらいオイルにおいても、異物の排出性が向上するため、ピン孔３、連結ピン１２の磨耗量を低減し、チェーンの磨耗伸びを抑制することができる。
【００１９】
さらに、バレル加工により内リンクプレート４のピン孔３の内周面の表面粗さが向上され、連結ピン１２も外周面の表面粗さが向上されて平滑化されているので、サイレントチェーンに給油された場合、潤滑油膜の形成がし易くなり、図４（Ｂ）に示すように、潤滑油膜の厚さが確保され、油膜を介してピン孔３と連結ピン１２とが間接的に接触摺動する「流動潤滑」の状態に近ずき、両者の磨耗量を低減することができ、その結果、チェーンの磨耗伸びを抑制することができる。
【図面の簡単な説明】
【００２０】
【図１】本発明実施例のサイレントチェーン説明のための要部拡大断面図である。
【図２】サイレントチェーンの一部斜視図である。
【図３】内リンクプレートの正面図である。
【図４】中間リンクプレートの正面図である。
【図５】ガイドプレートの正面図である。
【図６】従来のサイレントチェーン説明のための要部拡大断面図である。
【図７】（Ａ）はバレル加工前、（Ｂ）はバレル加工後における連結ピンとピン孔との摺動状態を示す拡大断面図である。
【符号の説明】
【００２１】
１      サイレントチェーン
２      歯部
３      ピン孔
３ａ    ピン孔縁部（バレル加工後）
３ｂ    ピン孔縁部（バレル加工前）
４      内リンクプレート
５      関節リンク列
６      歯部
７      ピン孔
８      中間リンクプレート
９      ピン孔
１０    ガイドプレート
１１    ガイドリンク列
１２    連結ピン
【図１】
2007085529.tif 000003
【図２】
2007085529.tif 000004
【図３】
2007085529.tif 000005
【図４】
2007085529.tif 000006
【図５】
2007085529.tif 000007
【図６】
2007085529.tif 000008
【図７】
2007085529.tif 000009